(57)【要約】【課題】  家庭用、個人用の携帯型低周波発生器を適用でき、繰返し行なう衣服の着脱や洗濯にも必要な耐久性を有する弾性被服を提供する。【解決手段】  身体に所定圧力で圧迫できる弾性被服に、パルス電流の出力端子を着脱自在に接続することができる１対の電極取付け部を備えた低周波治療可能な弾性被服であって、前記電極取付け部は、凸部を備えた第１導電性ゴムシートと、該凸部が嵌挿するための貫通孔が開設された第２導電性ゴムシートの組合わせであって、前記第１導電性ゴムシート及び第２導電性ゴムシートは、前記凸部を前記貫通孔に嵌挿することにより、前記被服の布地を挟持するように貼着されている。【選択図】  図１
2009005993.tif 000002
【特許請求の範囲】
【請求項１】
身体に所定圧力で圧迫できる弾性被服に、パルス電流の出力端子を着脱自在に接続することができる１対の電極取付け部を備えた低周波治療可能な弾性被服であって、
前記電極取付け部は、凸部を備えた第１導電性ゴムシートと、該凸部が嵌挿するための貫通孔が開設された第２導電性ゴムシートの組合わせであって、
前記第１導電性ゴムシート及び第２導電性ゴムシートは、前記凸部を前記貫通孔に嵌挿することにより、前記被服の布地を挟持するように貼着されている弾性被服。
【請求項２】
前記第１導電性ゴムシートは、前記凸部と該凸部が突設されたシート状基部とを有し、
前記第２導電性ゴムシートは、前記貫通孔が開設されたシート状基部を有し、
前記各導電性ゴムシートのシート状基部が、前記布地に貼着されている請求項１に記載の弾性被服。
【請求項３】
前記貼着は、前記第１導電性ゴムシート及び第２導電性ゴムシートそれぞれの布地に対する接着力が０．２ｋｇ／ｃｍ２以上であるシリコーンゴム系接着剤を用いてなされている請求項２に記載の弾性被服。
【請求項４】
前記被服は、浮腫解消用に下肢に着用されるストッキング又は腕に着用されるスリーブである請求項１〜３のいずれかに記載の弾性被服。
【請求項５】
前記被服は、上腕部に着衣されるスリーブであって、
前記電極取付け部は、上腕三頭筋に相当する部分に取付けられている、リンパ浮腫解消に用いられる請求項１〜３のいずれかに記載の弾性被服。
【請求項６】
前記被服は、身体末端部から身体中心部に向かうに従って締め付け圧力が弱くなるように、編織されている請求項１〜５のいずれかに記載の弾性被服。
【請求項７】
前記凸部に、前記シート状基部を貫通する細孔が穿孔されている請求項１〜６のいずれかに記載の弾性被服。
【請求項８】
第１導電性ゴムシートの凸部には、前記出力端子が接続できる電極端子が前記布地表面に露出するように、前記電極端子を先端に備えた金属製端子が埋設されている請求項１〜６のいずれかに記載の弾性被服。
【請求項９】
請求項１〜７のいずれかに記載の弾性被服；
パルス電流の出力端子と接続することができる金属製端子を備えた導電性基材と、該導電性基材の前記金属端子の露出側と反対側の面に、前記電極取付け部に脱着可能に貼着できる含水ゲル層が積層された電極パッド；及び
該電極パッドにパルス電流を供給することができる低周波発生装置；
を備えた携帯型浮腫解消セット。
【発明の詳細な説明】
【技術分野】
【０００１】
本発明は、下肢静脈瘤の症状改善やリンパ浮腫の悪化再発防止に用いられる弾性ストッキングや弾性スリーブ等の弾性被服であって、且つ弾性被服を着用した状態で低周波治療や電気マッサージを行なうことができるように、低周波発生装置、電気マッサージ器の出力端子に適宜接続することができ、しかも洗濯にも耐えることができる弾性スリーブ、弾性ストッキング等の弾性被服、及びこれを用いた携帯型浮腫解消セットに関する。
【背景技術】
【０００２】
乳癌などの手術後には、手術によりリンパ節が切除又は破壊されるために、組織間隙（血管外の皮下組織）にタンパクが溜まり、脚又は腕が太くなるリンパ浮腫がみられる。このようなリンパ浮腫は、新生された副行路のリンパ管を発達させて、むくみ（組織間隙中のタンパクや水分）を減少させることによって治療可能である。
リンパ液の流れを活発化させる方法としては、皮膚の上から患部の神経繊維にきわめて微弱な低電流パルスを流し、患部の筋肉をリズミカルに刺激し、筋肉に収縮作用を起こさせることで脚や腕を細くする低周波治療が有効である。そして、低周波治療により細くした状態を維持するために、弾性ストッキングや弾性スリーブを着用することが効果的であることが知られている。
弾性ストッキング、弾性スリーブとは、脚首や手首等の身体末端部から太股や肩といった心臓に近い部分にかけて、段階的に圧迫圧を調整するように編織したストッキング、スリーブで、着用により血液の流れが促進され、浮腫を軽減することができる。
【０００３】
弾性ストッキング等の被服を構成している布地は一般に分厚く、布地自体が非導電性であるため、ストッキングやスリーブの上に、電極を取付けても電流を流すことができない。このため、低周波治療を行なう場合には、一旦、弾性被服を脱いで又ははずして、低周波治療用の電極を皮膚に直接取付ける必要がある。一般に、弾性スリーブ、弾性ストッキングは、その圧迫圧から着脱が面倒である。また、近年、低周波治療を、家庭でも行えるように、携帯タイプの低周波発振器が開発、販売されている。弾性被服を着用した状態で、このような携帯型の低周波治療具の出力端子を接続することができれば、外出中やオフィスなどの公共の場においても、容易に電気マッサージを行なうことができる。このような要求から、着用した状態で電気マッサージ用の電流、あるいは低周波治療用のパルス電流を流すことができる弾性被服がが検討されている。
【０００４】
例えば、特開２００５−３４９０２１（特許文献１）には、弾性ストッキングに、導電性繊維を編み込んで面状導電層を形成し、さらにその表面側に、基台部と基台部の上面中央部に嵌合突起を凸設した接続端子を形成している。この特許文献１によれば、面状導電層の裏面側に当て布を介在させて配置される止着材が備える掛止爪を、面状導電層を貫通させて掛止用凹部に掛止めさせるかしめ構造により止着材と一体的となって位置固定されると説明されている（段落番号００２４）。
【０００５】
しかし、導電性繊維を編み込んでなる面状導電層では、皮膚接触面積における導電性部分が実質的には編み込まれた導電性繊維分だけとなり、また繊維による抵抗が大きいため、離間された２カ所の電極間の抵抗がかなり高くなる。あるいは止着具の底面部分といった限定的な小面積だけが身体表面と接触することになる。このため、特許文献１の実施例で使用しているような、電圧５５ボルトといった高電圧を使用する電気による筋肉刺激（ＥＭＳ）であれば、この面状導電層を通して通電することは可能であるが、家庭用、個人用の携帯型低周波治療具の電圧（ＤＣ３Ｖ程度）では通電できない。また、家庭内や医学的専門知識を持たない個人は、小面積に高電圧、高電流を流すことは危険である。
【０００６】
特許文献２（特開２００３−３３９８８３）には、弾性ストッキングの布地の表面及び裏面それぞれに、導電性ゴムシートを導電性接着剤で貼着し、表面側の導電性ゴムシートに棒状電極端子を挿入することができる棒状の収納部を突設した弾性ストッキングが開示されている。布地には穴が開設されていて、当該穴部分で、布地の表面及び裏面に貼着された導電性ゴムシート同士を導電性接着剤で貼り合わせ一体化することにより、表面側の導電性ゴムシートの収納部に収納した棒状端子に給電された電流が、裏面の導電性ゴムシートにまで通電されるようにしている。
【０００７】
特許文献２に示す構成では、導電性ゴムシートの全面が皮膚に密接しているので、ＤＣ３Ｖ程度の電圧であっても、パルス電流を流すことは可能である。しかしながら、電極端子としている棒状端子では、通電中に腕や脚を動かしたりすると、外れたり、棒状端子先端が皮膚に突き刺したりすることがある。このため、携帯タイプとはいえ、文献２の弾性ストッキングを着用した状態で、外出中に、低周波治療器や電気マッサージ器を使用しにくいという問題があった。また、導電性接着剤を介して、導電性ゴムシートを布地に貼着するとともに、表裏に貼着した導電性ゴムシート同士を貼付けていたが、導電性接着剤は一般に非導電性接着剤と比べて接着力が弱いため、弾性着衣の着脱に際して、布地を繰返し引張ったり、繰返し洗濯したりすると、導電性ゴムシートが剥がれてしまい、耐久性という点で改善すべきとの要求があった。
【０００８】
また、特開２００５−５２２２３（特許文献３）にも、弾性ストッキングを着用した状態で、電気刺激を与えることができるように、刺激用電極を取付けた弾性ストッキングが提案されている。ここで使用している刺激用電極は、粘着性を有する導電性ゴムシートから構成されている（段落番号００１４）という説明のみで、ストッキングの布地の表面と裏面とを導通させるための具体的構造が開示されていない。
【０００９】
【特許文献１】特開２００５−３４９０２１
【特許文献２】特開２００３−３３９８８３
【特許文献３】特開２００５−５２２２３
【発明の開示】
【発明が解決しようとする課題】
【００１０】
本発明はこのような事情に鑑みてなされたものであり、その目的とするところは、家庭用、個人用の携帯型低周波発生器を適用できる弾性被服であって、繰返し行なう被服の着脱や洗濯にも必要な耐久性を有する弾性被服を提供することにある。
【課題を解決するための手段】
【００１１】
本発明の弾性被服は、身体に所定圧力で圧迫できる弾性被服に、パルス電流の出力端子を着脱自在に接続することができる１対の電極取付け部を備えた低周波治療可能な弾性被服であって、前記電極取付け部は、凸部を備えた第１導電性ゴムシートと、該凸部が嵌挿するための貫通孔が開設された第２導電性ゴムシートの組合わせであって、前記第１導電性ゴムシート及び第２導電性ゴムシートは、前記凸部を前記貫通孔に嵌挿することにより、前記被服の布地を挟持するように貼着されている。
【００１２】
前記第１導電性ゴムシートは、前記凸部と該凸部が突設されたシート状基部とを有し、前記第２導電性ゴムシートは、前記貫通孔が開設されたシート状基部を有し、前記各導電性ゴムシートのシート状基部が、前記布地に貼着されていることが好ましく、さらに、前記第１導電性ゴムシート及び第２導電性ゴムシートそれぞれの布地に対する接着力が０．２ｋｇ／ｃｍ２以上であるシリコーンゴム系接着剤で貼着されていることが好ましい。
【００１３】
本発明の弾性被服は、下肢に着用されるストッキング又は腕に着用されるスリーブであってもよく、身体末端部から身体中心部に向かうに従って締め付け圧力が弱くなるように、編織されていることが好ましい。また、上腕部に着衣されるスリーブの場合、リンパ浮腫解消用スリーブとして、前記電極取付け部が上腕三頭筋に相当する部分に取付けられていることが好ましい。
【００１４】
さらに本発明の弾性被服において、前記凸部に、前記シート状基部を貫通する細孔が穿孔されていることが好ましい。前記細孔に水分を少量滴下することで、乾燥肌の着用者であっても通電が良好となる。
【００１５】
本発明の弾性被服は、パルス電流の出力端子と接続することができる電極端子を備えた脱着可能な電極パッドを前記電極取付け部に取付けるように使用してもよいし、前記出力端子が電極パッドを介さず直接電極取付け部と接続できるように、電極端子を先端に備えた金属製端子が、第１導電性ゴムシートの凸部に、該電極端子が前記布地表面に露出するように埋設されていてもよい。
【００１６】
本発明の携帯型浮腫解消セットは、上記本発明の弾性被服のうち、電極取付け部に金属製端子が埋設されていないタイプの弾性被服；パルス電流の出力端子と接続することができる金属製端子を備えた導電性基材と、該導電性基材の前記金属端子の露出側と反対側の面に、前記電極取付け部に脱着可能に貼着できる含水ゲル層が積層された電極パッド；及び該電極パッドにパルス電流を供給することができる低周波発生装置を備えたものである。弾性被服を着用しておき、電気マッサージが必要な場合にだけ、電極取付け部に電極パッドを取付け、低周波発生装置に接続して通電すればよい。
【発明の効果】
【００１７】
本発明の弾性被服は、布地に導電性ゴムシートが貼着されているだけなので、着用感の低下もなく、着用しながら、必要に応じて電気マッサージ器、低周波発生装置に接続することができる。しかも、布地の表面及び裏面に貼着された第１及び第２導電性ゴムシートは、凸部の貫通孔への嵌挿と接着剤の組合わせにより布地に貼着されているので、弾性被服の脱着の繰返し、洗濯に対しても優れた耐久性を示すことができる。
【発明を実施するための最良の形態】
【００１８】
はじめに、本発明の弾性被服に使用する電極取付け部の一実施形態について、図１に基づいて説明する。
図１は、電極取付け部を、布地に貼着した状態を示す断面図である。
電極取付け部１０は、第１導電性ゴムシート１と第２導電性ゴムシート２との組合わせからなる。第１導電性ゴムシート１は、シート状基部１ａと、このシート状基部１ａのほぼ中央に突設された凸部１ｂとから構成されている。また、第２導電性ゴムシート２は、第１導電性ゴムシート１とほぼ同形同サイズのシート状基部２ａで構成され、該シート状基部２ａのほぼ中央に、前記凸部１ｂが嵌挿できる貫通孔２ｂが開設されている。
第１導電性ゴムシート１は布地Ｆの一面に接着剤３により貼着され、第２導電性ゴムシート２は布地Ｆの反対側面に接着剤３により貼着されるとともに、凸部１ｂが貫通孔２ｂに嵌挿することにより、１組の導電性ゴムシート１，２で布地Ｆを挟持する一体化構造となっている。
【００１９】
導電性ゴムシートとしては、導電性を有するゴムであればよく、カーボン、銀等の金属などの無機導電性材料を含有した導電性ゴムが用いられる。
【００２０】
シート状基部１ａ、２ａの厚みは限定しないが、好ましくは１ｍｍ以下であり、より好ましくは０．７ｍｍ以下であり、更に好ましくは０．５ｍｍ以下である。分厚すぎると、着用時の密着感、弾性被服本来の圧迫感が損なわれるからである。シート状基部１ａ、２ａのサイズは特に限定しないが、後述するように、弾性被服への接着面積、弾性被服の占有面積に関係することから、腕方向長さ×腕周囲方向長さが３〜６ｃｍ×２〜４ｃｍの方形状、楕円状、あるいは径２〜４ｃｍの円形状などとすることが好ましい。
【００２１】
接着剤としては、布地に対して、充分な接着力を発揮できるもので、洗濯耐久性があるものが用いられる。具体的には、耐水性があり、ゴムと布地に対して充分な濡れ性があり、且つ伸縮性があるゴム系接着剤が用いられ、好ましくはシリコーンゴム系接着剤が用いられる。
上記特許文献２では、布地を挟持する１組の導電性ゴムシートが導通できるように、布地と導電性ゴムシートの接着、さらには導電性ゴムシート同士の接着に導電性接着剤を使用する必要があった。この点、本願発明の構成を有する導電性ゴムシート組合わせでは、凸部１ｂが貫通孔２ａに嵌挿することにより、第１導電性ゴムシートと第２導電性ゴムシートとが接触しているので、第１導電性ゴムシート（又は第２導電性ゴムシート）面に印加された電圧は第２導電性ゴムシート（又は第１導電性ゴムシート）面にまで導通できる。従って、接着剤３としては、シート状基部１ａ、２ａを布地Ｆに貼着するためのものであればよいので、耐洗濯性を有し、且つ接着力が高い接着剤を適宜選択することができる。具体的には、ゴムと布地（ポリアミド）に対する接着力が０．２ｋｇ／ｃｍ２以上、好ましくは０．２５ｋｇ／ｃｍ２以上の接着剤で、且つ耐水性、耐アルカリ性を有する接着剤を用いる。一般に市販されているシリコーンゴム系の非導電性接着剤であれば、この程度の接着力を確保することができる。この程度の接着力を有する接着剤を使用すれば、本発明の凸部と貫通孔の組合わせによる係合力との相乗効果により、繰返し脱ぎ着する引張り行為にも剥がれない。すなわち、弾性被服の着用、脱ぐ際には、被服の長手方向（ストッキングであれば脚の長手方向、スリーブであれば腕の長手方向）に引張ることが多いため、長手方向の接着力が重要となる。この点、本発明の電極取付け部の構成では、長手方向の貼着力に関しては、接着剤による接着力に加えて、第１導電性ゴムシートと第２導電性ゴムシートの係合力も引張り力の抗力として作用できるので、より効果的である。
【００２２】
図２は、本発明の弾性被服の一実施形態たる弾性スリーブを示している。
図２に示す弾性スリーブは、肩から手首にかけて、所定の締め付け力を有するように編織された布地で構成され、弾性スリーブの上腕三頭筋部分の前面側（図２ａ）、後面側（図２ｂ）に、図１に示す電極取付け部１０を取付けたものである。電極取付け部１０は、第１導電性ゴムシート１がスリーブ表面、第２導電性ゴムシート２がスリーブ裏面になるように貼着されている。
【００２３】
このような弾性スリーブは、主として乳癌手術後のリンパ浮腫解消のための圧迫療法に用いられるもので、手首部分で１０〜５０ｍｍＨｇ程度、肩部分で５〜１５ｍｍＨｇ程度の範囲で、肩から手首にかけて段階的に締め付け力が高くなるように、編織されていることが好ましい。
【００２４】
弾性スリーブを構成する布地は、従来より弾性ストッキングや弾性スリーブに使用されている布地を使用することができる。具体的には、ポリアミド繊維、ポリウレタン繊維、弾性ポリウレタンのカバリング糸、ポリアミドとポリウレタンの混紡糸などの７０デニール以上、好ましくは１００デニール以上の弾性糸をヨコ糸に使用して、肩部分から手首部分にかけて、上記のような圧迫力となるように、編んだニットタイプのものが好ましく用いられる。
【００２５】
貼着される電極取付け部１０のサイズは、スリーブやストッキングの所定位置に＋極用及び−極用の一対の電極取付け部を取付けることができ、且つ、取付け部分の周囲長に対して、導電性ゴムシート占有部分が１／３以下程度となるサイズであることが好ましく、より好ましくは１／４以下となるサイズである。大きすぎると、着用者にとって低周波治療用の刺激電圧パルスを感じにくくなる。また、導電性シートを貼着した部分は、弾性被服を構成する布地程の伸縮性を有していないため、着用時に伸びることができる部分は、導電性ゴムシートが貼着されていない布地部分だけとなる。圧迫療法による締め付け力を発揮する部分は布地部分であることから、導電性ゴムシートが貼着された部分が大きくなりすぎると、換言すれば、布地部分が少なすぎると、均質な締め付け力を達成しにくくなる。また、導電性ゴムシートが接着されていない部分に限定して、その周囲に応じた分だけ伸びることになるため、布地部分が少なくなるほど、そこの部分の伸び率だけが増大することになり、このことは、弾性被服の耐久性低下の原因となる。
【００２６】
次に、このような弾性スリーブを着用した状態で、低周波治療を行なう場合の使用方法の一実施例について説明する。
好ましい使用方法は、図３に示すような電極パッドを使用することである。この電極パッド２０は、凸部２１ａと鍔部２１ｂを有する金属製端子２１の凸部部２１ａが露出するように、２枚の導電性フィルム２２，２３で挟持し、導電性フィルム２２の凸部２１ａが露出していない側の面に、粘着性を有する含水ゲル２４を積層したものである。
【００２７】
このような電極パッド２０を、弾性スリーブの表面に貼着された第２導電性ゴムシートのシート状基部２ａに、含水ゲル層２４を粘着剤として貼着する。
かかる状態で、低周波発生器のコード先端に取付けられている出力端子と凸部２１ａを接続する、出力端子としては、例えば、電極パッドの表面に露出した凸部２１ａに嵌合できる出力端子３０であってもよいし、凸部２１ａを把持できるクリップ型端子であってもよい。
【００２８】
出力端子３０から出力された刺激用パルス電流は、金属製端子２１、導電性フィルム２２，２３、含水ゲル２４を通じて、さらに１組の導電性ゴムシートからなる電極取付け部１０を通じて、皮膚にまで導通し、対極の電極取付け部にむけて電流が流されることができる。導電性ゴムシートは、弾性スリーブを構成している布地の締め付け力により皮膚に密着しているので、皮膚、体内を介して、対極の導電性ゴムシートにまで導通することができ、結果として、神経線維を刺激するように電流が流れることができる。
【００２９】
従って、本発明の携帯型浮腫解消セットは、上記実施形態の弾性被服；前記電極取付け部に脱着可能に貼着できる含水ゲルを有し、且つパルス電流の出力端子と接続できる金属製端子を備えた電極パッド；及び該電極パッドにパルス電流を供給できる低周波発生装置を備えたものである。
【００３０】
以上のような構成を有する本実施形態の弾性スリーブにおいて、含水ゲル層２４を粘着剤とする電極パッドは脱着自在であるから、低周波マッサージを行ないたいときにだけ電極取付け部に貼付ければよい。
【００３１】
また、導電性ゴムシートが接着されている部分の布地は、伸縮が一般に制限されるため、着用時に布地本来の伸縮性を発揮することができないが、このような伸縮が制限される部分は、着用位置の周囲の１／３以下に限定されているので、締め付け力に影響を与えることはほとんどなく、弾性スリーブ本来の圧迫力を発揮できる。
【００３２】
さらに、導電性ゴムシートを布地に取付ける接着剤としては広範囲に選択できるので、所望の接着力を有し、且つ伸縮性、耐水性を有する接着剤を使用することで、電極取付け部の取付けによる耐洗濯性の低下を抑制でき、被服の着脱時に繰返しかかる引張り力にも耐はく離性を有している。
【００３３】
またさらに、導電性ゴムシートとして布地と同系統のカラー導電性ゴムシートを使用することで、電極取付け部を目立たなくすることができ、外出時の被服として着用することもできる。
【００３４】
尚、上記実施形態では、第１導電性ゴムシートが布地裏面、第２導電性ゴムシートが布地表面となっていたが、本発明はこれに限定されず、第１導電性ゴムシートが布地表面に接着され、第２導電性ゴムシートが布地裏面に接着されてもよい。
【００３５】
また、図４に示す第１導電性ゴムシート１’のように、凸部１’ｂに水分が流通できる程度の細孔１’ｃを穿孔してもよい。
弾性スリーブの着用状態では、導電性ゴムシートが皮膚に密着した状態となるので、発汗状態となっている。従って、携帯タイプの低周波発生装置で採用されているような低電圧であっても、皮膚への通電には通常問題はないが、乾燥肌で皮膚表面がほとんど濡れないタイプの使用者もいる。このような場合、導電性ゴムシートが接触する皮膚部分を水で濡らす必要がある。
【００３６】
細孔１’ｃは、水分注入用の貫通孔として利用できる。この細孔１’ｃにスポイト等で水分を注入することで、皮膚と導電性ゴムシートの接触面をぬらすことができ、乾燥肌であっても、通電できる。
【００３７】
次に、本発明の第２実施形態について説明する。
第１実施形態では、金属製端子を備えた着脱可能な電極パッドを、電極取付け部に貼着して使用するタイプであったが、本発明の弾性被服は、これに限定されない。
【００３８】
図５は、本発明の弾性被服に使用する電極取付け部の第２実施形態を示す。図５に示す電極取付け部１０’は、第１導電性ゴムシート１”として、凸部１”ｂに、直接低周波発生装置の出力端子が接続できるように金属製端子５を埋設したものである。
【００３９】
金属製端子５としては、例えば、図３の電極パッド２０に使用した、鍔と凸部とからなる金属製端子と同様のものを使用することができる。このような金属製端子５は、凸部の先端が、導電性ゴムシート１”の凸部１”ｂから突出するように、埋設されている。そして、第１導電性ゴムシート１”は、布地Ｆの裏面に、金属製端子５の先端が布地の表面に突出するように接着される。このような弾性スリーブでは、金属製端子５の突出している先端に、直接、図３に示す出力端子３０を接続することができる。金属製端子５は、導電性ゴムシート１”中に埋設されていて、皮膚に直接当接することはないので、通電時にも金属部分に集中的に電流が流れるということはなく、また着用感の低下もない。
【００４０】
尚、図５では、第１導電性ゴムシートが布地Ｆの裏面に接着された場合で、凸部１”ｂから金属製端子５の先端が露出していたが、本発明はこれに限定されない。例えば、第１導電性ゴムシート１”が布地表面に接着される場合、凸部１”ｂに埋設された金属端子５の先端が、シート状基部１”ａから突出するようになる。
【００４１】
また、上記実施形態は、いずれも弾性スリーブ、特に癌手術後の腕のリンパ浮腫解消用の弾性スリーブについて説明したが、本発明の弾性被服はこれに限定されない。低周波治療と圧迫療法の双方が必要な弾性被服に適応できる。例えば、下肢の浮腫解消、静脈瘤改善のために着用される弾性ストッキング、弾性ハイソックスなどであってもよい。さらにエコノミークラス症候群予防に着用する弾性ストッキング、弾性ハイソックスであってもよい。弾性ストッキング、弾性ハイソックスの場合、ふくらはぎから足首にかけて段階的に圧迫圧が高くなるように編成されており、電極取付け部は、ふくらはぎ部分に取付けられる。
【実施例】
【００４２】
〔接着力試験〕
直径３．２ｃｍの円形のシート部に短冊状の引張り部がついた団扇形状の導電性ゴムシートを作成した。手首部分の締め付け力は３０ｍｍＨｇであり、脇に近い部分の締め付け力は１０ｍｍＨｇと段階的に締め付け力が弱くなるように編織した弾性スリーブの表面に、上記導電性ゴムシートの円形部分を、シリコーンゴム系の非導電性接着剤（ＧＥ東芝シリコーンのＴＳＥ３９７）で貼着した。引張り部がスリーブ長手方向（腕の長手方向）となるように貼着したものと、引張り部がスリーブ周方向（腕の周囲方向）となるように貼着したものとを、それぞれ作成した。
各弾性スリーブをマネキンの腕に装着し、引張り部を接着剤を引き剥がす方向（円形部の方向）に引張ることによって、スリーブの長手方向及び周囲方向の引き剥がし試験を行なった。周囲方向の引張り試験では、ゴムシートが剥がれる前に布地が伸びきってしまった。長手方向の引張り試験では、２．４ｋｇの力（０．２９８６ｋｇ／ｃｍ２）で引張ったときにゴムシートが剥がれた。
【００４３】
接着剤をシリコーンゴム系導電性接着剤（ＧＥ東芝シリコーンのＸＥ１６−５０８）に代えた以外は同様にして弾性スリーブを作成し、引き剥がし試験を行なった。周方向の引張り試験では、ゴムシートが剥がれる前に布地が伸びきってしまった。長手方向の引張り試験では、１．６ｋｇの力（０．１９９０ｋｇ／ｃｍ２）で引張ったときにゴムシートが剥がれた。
【００４４】
〔実施例〕
図１に示す構成を有する直径３．２ｃｍの円形の第１導電性ゴムシート及び第２導電性ゴムシートの組合わせを使用し、第１導電性ゴムシート１を布地裏面、第２導電性ゴムシートを布地表面に、シリコーンゴム系の非導電性接着剤（ＧＥ東芝シリコーンのＴＳＥ３９７）で貼着し、図２に示すような弾性スリーブを作成した。この弾性スリーブの手首部分の締め付け力は３０ｍｍＨｇであり、脇に近い部分の締め付け力は１０ｍｍＨｇと段階的に締め付け力が弱くなるように編織されている。
【００４５】
この弾性スリーブをパネラーに実際に着用してもらい、第２導電性ゴムシート上に、図３に示すような電極パッドを貼付け、市販の家庭用低周波治療器（ＤＣ３Ｖ）の出力端子を接続し、通電したところ、電極取付け部付近の筋肉がパルス電流に合わせて動くことを確認できた。２本の弾性スリーブを隔日に脱着を行ないながら、パネラーが４ヶ月間使用し続けたところ、周囲方向、長手方向に布地が伸びてしまい、浮腫解消用弾性スリーブとしての機能を果たさなくなったが、第１導電性ゴムシート及び第２導電性ゴムシートの剥がれは認められなかった。また、使用後、家庭用洗剤で洗濯したが（洗濯回数約４５回）、導電性ゴムシートの剥がれ、色落ちはなかった。
【００４６】
〔比較例〕
特許文献２に記載の構成を有する電極取付け部（表面と裏面とに貼着される導電性ゴムシート同士は、嵌挿による係合がない）を、シリコーンゴム系の導電性接着剤（ＧＥ東芝シリコーンのＸＥ１６−５０８）で貼着した弾性スリーブを作成した。この弾性スリーブは、手首部分の締め付け力は３０ｍｍＨｇであり、脇に近い部分の締め付け力は１０ｍｍＨｇと段階的に締め付け力が弱くなるように編織されている。
【００４７】
この弾性スリーブ２本を、実施例と同様にパネラーが隔日に脱着を行ないながら使用し続けたところ、２ヶ月間（約３０回）使用したところで、導電性ゴムシートが剥がれた。別途、家庭用洗剤で３０回の洗濯試験を行なったところ、導電性ゴムシートの剥がれ、色落ちはなかった。
【産業上の利用可能性】
【００４８】
本発明の弾性被服は、圧迫療法のために普段生活に支障なく着用し続けることができ、しかも着用したままで低周波治療を行なうことができ、さらに、外出中にでも携帯型の低周波治療、電気マッサージを行ないたい場合に着用する、浮腫解消、血行改善のための弾性被服として有用である。
【図面の簡単な説明】
【００４９】
【図１】本発明の弾性被服に使用される電極取付け部の第一実施形態を説明するための概略図である。
【図２】本発明の弾性スリーブの一実施形態を示す図である。
【図３】本発明の弾性被服と組合わせて使用する電極パッドの一例の構成を示す概略図である。
【図４】本発明の弾性被服に使用される電極取付け部に細孔が穿孔された場合の実施形態を説明するための概略図である。
【図５】本発明の弾性被服に使用される電極取付け部の第二実施形態を説明するための概略図である。
【符号の説明】
【００５０】
１，１’，１”  第１導電性ゴムシート
１ａ，１”ａ  シート状基部
１ｂ，１’ｂ，１”ｂ  凸部
１ｃ  細孔
２  第２導電性ゴムシート
２ａ  シート状基部
２ｂ  貫通孔
３  接着剤
５  金属製端子
１０，１０’  電極取付け部
【図１】
2009005993.tif 000003
【図２】
2009005993.tif 000004
【図３】
2009005993.tif 000005
【図４】
2009005993.tif 000006
【図５】
2009005993.tif 000007